(57)【要約】【課題】蓄光発光体の蓄発光部もしくは裏面突出部に貫通孔を形成して、ロープやワイヤー等をもって吊下げ何処の位置からでも判る、目印としての利用を可能にした夜間・暗部において自発光する蓄光発光体を提供する。【解決手段】蓄光と発光の両機能を有する突出状蓄発光部と、前記蓄発光部の底面部を突設して蓄光と発光の両機能を有する裏面突出部とを、無機質の着色顔料と蓄光顔料とを含有する合成樹脂製とし、前記裏面突出部の側壁面部に貫通孔を形成せしめた。【選択図】    図１
0003124163.tif 000002
【実用新案登録請求の範囲】
【請求項１】
蓄光と発光の両機能を有する突出状蓄発光部と、前記蓄発光部の底面部を突設して蓄光と発光の両機能を有する裏面突出部とを、無機質の着色顔料と蓄光顔料とを含有する合成樹脂製とし、前記裏面突出部の側壁面部に貫通孔を形成せしめたことを特徴とする夜間・暗部において自発光する蓄光発光体。
【請求項２】
前記突出状蓄光部と前記裏面突出部とに、貫通孔を形成せしめることを特徴とする請求項１記載の夜間・暗部において自発光する蓄光発光体。
【請求項３】
前記裏面突出部の下方外周部に、パネル引掛け部を形成せしめることを特徴とする請求項１又は請求項２記載の夜間・暗部において自発光する蓄光発光体。
【請求項４】
前記裏面突出部の底面部が接着剤もしくは接着剤をもって被接着部材に接着せしめることができるようにフラット面とすることを特徴とする請求項１又は請求項２又は請求項３記載の夜間・暗部において自発光する蓄光発光体。
【請求項５】
前記突出状蓄発光部の底面部が、前記裏面突出部を設けることなく、且接着剤もしくは接着剤被接着剤に接着せしめることができるようにフラット面にて形成することを特徴とする請求項１記載の夜間・暗部において自発光する蓄光発光体。
【請求項６】
前記突出状蓄発光部に、貫通孔を形成せしめることを特徴とする請求項５記載の夜間・暗部において自発光する蓄光発光体。
【請求項７】
前記突出状蓄発光部の中心部に、貫通孔を形成せしめることを特徴とする請求項６記載の夜間・暗部において自発光する蓄光発光体。
【請求項８】
前記突出状蓄発光部及び裏面突出部の中心部に、前記蓄発光部と裏面突出部を貫通する貫通孔を形成せしめることを特徴とする請求項１又は請求項２又は請求項３又は請求項４記載の夜間・暗部において自発光する蓄光発光体。
【請求項９】
前記突出状蓄発光部が、湾曲状もしくは半球状にて形成せしめることを特徴とする請求項１又は請求項２又は請求項３又は請求項４又は請求項５又は請求項６又は請求項７又は請求項８記載の夜間・暗部において自発光する蓄光発光体。
【請求項１０】
前記接着部材が、両面接着テープもしくはマグネットペーパーであることを特徴とする請求項１又は請求項２又は請求項３又は請求項４又は請求項５又は請求項６又は請求項７又は請求項８又は請求項９記載の夜間・暗部において自発光する蓄光発光体。
【考案の詳細な説明】
【技術分野】
【０００１】
本考案は、夜間・暗部において自発光する蓄光発光体の分野に関するものである。
【背景技術】
【０００２】
従来夜間において自発光する反射板として、特開平１１−３０５０１５公開特許公報が開示されている。
【０００３】
この公開特許公報の反射板は、板状蓄発材３と反射体１とを組合せて使用するものであって、板状蓄光材３を単体物として使用を目的としていない。
【０００４】
さらに前記公開特許公報に開示されている発明は、蓄光材が板状のためその使用範囲は限定されている。即ちこの開示の発明の反射板は、衣類に着用するボタン、その他バッグ、帽子に付しての使用や、さらにアクセサリー、ペンダント等の装身具類に使用すると違和感があり、使用対象物品の範囲内に入らないものである。
【特許文献１】特開平１１−３０５０１５公開特許公報
【考案の開示】
【考案が解決しようとする課題】
【０００５】
従来開示の前記特開平１１−３０５０１５公開特許公報の発明の反射板は、板状蓄光材３と反射体１とからなり、板状蓄光材３を単体で使用することは想定外としている。
【０００６】
そのため、前記開示の反射板は、暗い夜道に設置して安全を確保するための道路標識として使用することだけを目的として開発されたものである。
【０００７】
しかるに本考案は、蓄光発光体を構成する蓄発光部もしくは裏面突出部に貫通孔を形成して、ロープもしくはワイヤー等をもって吊下げ何処の位置からでも判る、いわゆる目印としての利用を可能にした。
【０００８】
さらに本考案は、裏面突出部に引掛け係止部を形成して、パネルに懸架せしめ自発光する標識板としても利用可能にした。
【０００９】
また本考案は、全体を蓄光と自発光する無機質の着色顔料と蓄光顔料とを含有する合成樹脂製として表裏面の区別なく、両面から蓄光と発光とができるようにした。そのため、蛍光灯等への吊下げを可能にした。
【００１０】
さらに本考案は、突出状の蓄発光部の底面部もしくは、裏面突出部の底面部を平坦にして、接着剤や両面テープ等の塗布もしくは接着を容易にして確実にパネル等に固着することができるようにした。
【００１１】
また本考案は、前記した突出状の蓄発光部の底面部もしくは裏面突出部の底面部を平坦にして、マグネットペーパーの圧着を容易にし、且被取付部材への着脱が容易にできるようにした。
【００１２】
さらに本考案は、考案の要部の蓄光発光体を構成する蓄発光部を、湾曲状もしくは半球形状にして角部をなくし、接触しても怪我を未然に防止した。
【００１３】
また本考案は、消灯時における癒しの効果と、停電時の避難誘導をスムーズに行わしめることができるようにすると共に、発光する衣服用ボタンとして、さらにバッグや帽子等に付着して発光するアクセサリーとしての利用もできるようにした。
【００１４】
さらに本考案は、発光するペンダント等の装身具用として利用できる。
【００１５】
また本考案は、自転車、バイク、車椅子、電気スタンド、動物等に付着せしめて、交通安全面の確保と、さらに身辺の安全の確保を目的として利用できるようにした。
【００１６】
さらに本考案は、子供らのペンダントやワッペンとして、キーリングングやストラップ、靴類、ステッキ、バリアフリーに、リュック、ランドセル、バスルームの癒しのインテリア、ガーデニング、エクステリア等の広範囲の商品に使用し、前記同様交通安全面の確保や身辺の安全に役立たしめることができるようにした。
【考案の効果】
【００１７】
本考案の夜間・晴部において自発光する蓄光発光体の請求項１記載の考案は、蓄光と発光の両機能を有する突出状蓄発光部と、前記蓄発光部の底面部を突設して蓄光と発光の両機能を有する裏面突出部とを、無機質の着色顔料と蓄光顔料とを含有する合成樹脂製とし、前記裏面突出部の側壁面部に貫通孔を形成せしめたことを特徴とする夜間・暗部において自発光する蓄光発光体なので、前記貫通孔にロープや針金等を挿通せしめ、例えば蛍光灯等に吊るしていても、前記蓄光発光体を構成する突出状蓄発光部と裏面突出部部とが夫々蓄光する。
【００１８】
そのため前記のように蛍光灯等に吊るしていても、蛍光灯の照明でも、蓄光するので、消灯時には前記蓄光発光体が発光して癒し効果を与えると共に、停電時には避難誘導用として利用できる利点を有している。
【００１９】
さらに本考案の蓄光発光体は、前記貫通孔にロープや針金等を挿通して、極めて容易に街路樹等に吊下げができる。そのため日中には太陽光線によって蓄光し、夜間にはツリーランプとして省エネ効果を発揮させることができる。
【００２０】
また本考案の蓄光発光体は、貫通孔に糸で衣服、ボタン代用として、さらにバッグ、帽子等に縫い付けることができるので、昼間は通常のボタンであったりしても、夜間になると発光し、興味をそそり、ファッション効果を著しく発揮させることができる。
【００２１】
さらに前記のようにバッグ、帽子等に縫い付けたり、吊るしておくと、夜間になると発光し、光るバッグ、光る帽子等として興味をそそぐと共に、消灯時でも直ちに前記蓄光発光体を縫い付けあるいは吊下げている対象物品の所在を直ちに認識できる利点を有している。
【００２２】
また本考案の自発光体は、貫通孔に紐類を挿通できるので、夜になると発光する極めて興味をそそるアクセサリーやペンダント等の装身具として利用可能にした。
【００２３】
さらに本考案の自発光体は、貫通孔に紐等を挿通せしめて、学童児らのランドセル、かばん、靴に、さらにベビーカー、ショッピングカート、ステッキバッグ、車椅子、自転車、バイク、ペット、電気スタンド、消火器、携帯ラジオ、ハンディライト、照明器具の消灯用紐に、さらにカーポート、バリアフリー、ステッキ、ガーデニング、郵便ポスト等の多種類のものに取付けておき、昼間は太陽光もしくは蛍光灯等の照明によって蓄光し、夜になると発光するようにしたので、上記物品の存在が直ちに視認できるし、夜間の暗闇での存在を視認して交通安全や身辺の安全対策、緊急時の目印やケア、野外での安全確保や、ホビー等の広範囲にわたっての使用を可能にした利点がある。
【００２４】
本考案の夜間・暗部において自発光する蓄光発光体の請求項２記載の考案は、前記突出状蓄光部と前記裏面突出部とに、貫通孔を形成せしめることを特徴とする請求項１記載の夜間・暗部において自発光する蓄光発光体なので、前記貫通孔にロープや針金等を挿通し吊下げることが極めて容易にできる利点がある。
【００２５】
そのため、請求項１記載の考案と同じ効果を有している。
【００２６】
本考案の夜間・暗部において自発光する蓄光発光体の請求項３記載の考案は、前記裏面突出部の下方外周部に、パネル引掛け部を形成せしめることを特徴とする請求項１又は請求項２記載の夜間・暗部において自発光する蓄光発光体なので、前記パネル引掛け部を有する裏面突出部を別設する所定の図柄等を想起可能にした嵌挿孔に嵌挿させると、前記パネル引掛け部によって引掛って係止せしめ離脱を防止した。
【００２７】
さらに本考案は、請求項１又は同２記載の考案と同じ効果を有している。
【００２８】
本考案の夜間・暗部において自発光する蓄光発光体の請求項４記載の考案は、前記裏面突出部の底面部が接着剤もしくは接着剤をもって被接着部材に接着せしめることができるようにフラット面とすることを特徴とする請求項１又は同２又は同３記載の夜間・暗部において自発光する蓄光発光体なので、前記裏面突出部の底面部に接着剤を塗付もしくは塗着せしめたり、あるいは接着剤を接着せしめることによって、被接着対象物、例えばパネルやかばん、ランドセル、・・・等に極めて容易に取り付け、夜間・暗部にて自発光させることができる利点を有している。
【００２９】
さらに本考案は、請求項１又は同２又は同３記載の考案と同じ効果を有している。
【００３０】
本考案の夜間・暗部において自発光する蓄光発光体の請求項５記載の考案は、前記突出状蓄発光部の底面部が、前記裏面突出部を設けることなく、且接着剤もしくは接着剤被接着剤に接着せしめることができるようにフラット面にて形成することを特徴とする請求項１記載の夜間・暗部において自発光する蓄光発光体なので、ランドセル、かばん等の被接着物に対し接着剤もしくは接着材を介して極めて容易に接着することができる。
【００３１】
そのため、本考案の発光体は、請求項１記載の考案と同じ効果を有している。
【００３２】
本考案の夜間・暗部において自発光する蓄光発光体の請求項６記載の考案は、前記突出状蓄発光部に、貫通孔を形成せしめることを特徴とする請求項５記載の夜間・暗部において自発光する蓄光発光体なので、貫通孔にロープや針金等を極めて容易に挿通せしめることができる。
【００３３】
そのため、本考案の自発光体を極めて容易に吊下げたり、取付けることができる。
【００３４】
さらに本考案は、請求項５記載の考案と同じ効果を有している。
【００３５】
本考案の夜間・暗部において自発光する蓄光発光体の請求項７記載の考案は、前記突出状蓄発光部の中心部に、貫通孔を形成せしめることを特徴とする請求項６記載の夜間・暗部において自発光する蓄光発光体なので、貫通孔にロープや針金等を極めて容易に挿通することができる。
【００３６】
さらに本考案は、請求項６記載の考案と同じ効果を有している。
【００３７】
本考案の夜間・暗部において自発光する蓄光発光体の請求項８記載の考案は、前記突出状蓄発光部及び裏面突出部の中心部に、前記蓄発光部と裏面突出部を貫通する貫通孔を形成せしめることを特徴とする請求項１又は同２又は同３又は同４記載の夜間・暗部において自発光する蓄光発光体なので、前記中心部に設けた貫通孔には、ロープもしくは針金等が容易に挿通しやすい利点がある。
【００３８】
さらに本考案は、請求項１又は同２又は同３又は同４記載の考案と同じ効果を有している。
【００３９】
本考案の夜間・暗部において自発光する蓄光発光体の請求項９記載の考案は、前記突出状蓄発光部が、湾曲状もしくは半球状にて形成せしめることを特徴とする請求項１又は同２又は同３又は同４又は同５又は同６又は同７又は同８記載の夜間・暗部において自発光する蓄光発光体なので、突出状蓄発光部が湾曲状もしくは半球状をしているがために、手指等が当ったりしても、怪我をしたりはしない利点がある。
【００４０】
さらに本考案は、請求項１又は同２又は同３又は同４又は同５又は同６又は同７又は同８記載の考案と同じ効果を有している。
【００４１】
本考案の夜間・暗部において自発光する蓄光発光体の請求項１０記載の考案は、前記接着部材が、両面接着テープもしくはマグネットペーパーであることを特徴とする請求項１又は同２又は同３又は同４又は同５又は同６又は同７又は同８又は同９記載の夜間・暗部において自発光する蓄光発光体なので、被接着物に対し極めて容易にして、且確実に取付けることができると共に、容易に離脱しない利点を有している。
【００４２】
さらに本考案は、請求項１又は同２又は同３又は同４又は同５又は同６又は同７又は同８又は同９記載の考案と同じ効果を有している。
【考案を実施するための最良の形態】
【００４３】
本考案の請求項１〜１０記載の考案に関する実施の形態は共通しているので以下のとおり一括して説明する。
【００４４】
図面において、ａは無機質の着色顔料と蓄光顔料とを含有する合成樹脂製の蓄光性を有し自発光する蓄光発光体ａである。この蓄光発光体ａの構成は以下のとおりである。
【００４５】
前記蓄光発光体ａは、湾曲状もしくは半球状の突出状蓄発光部１の底面部２を所定の長さだけ図１、４、８のように突設して裏面突出部３を形成する。
【００４６】
前記裏面部３は、横断面が円形状にして、且前記突出状蓄発光部１の底面部２の径よりも若干小さ目に形成する。
【００４７】
さらに前記裏面部突出部３の下方端部５にパネルｃに引掛け係止せしめるパネル引掛け部６を図１、４、８・・・等のように形成する。
【００４８】
そして前記パネル引掛け部６は、所定の高さを有し、先端面部７は径が小さく、突出状蓄発光部１の底面部２の方向に行くに従って径が漸次大きくなるように、傾斜状部７ａを設けて形成する。
【００４９】
さらに前記裏面突出部３の側壁面部４に、前記側壁面部４を貫通する貫通孔８を形成する。
【００５０】
前記の貫通孔８には、ロープ１０又は針金等を挿通せしめ使用する。
【００５１】
さらに本考案は、前記突出部蓄発光部１の表面部１ａの中心部から前記裏面突出部３の中心部にかけて所定の径を有する貫通孔９を形成してもよい。
【００５２】
そして本考案においては、前記貫通孔８、９を同時に形成してもよいが、一方の貫通孔を形成したときは、他方の貫通孔を形成しなくともよい。
【００５３】
さらに本考案は、蓄光発光体ａの第２実施例として、前記突出状蓄発光部１のみの蓄発光体ｂとし、前記裏面突出部３がない形態の場合もある。
【００５４】
この場合の突出状蓄発光部１の底面部２は、フラット状とする。
【００５５】
１２は本考案の前記裏面突出部３のフラット状底面部２ａに接着する接着材である。
【００５６】
この接着材１２は、両面接着テープもしくはマグネットペーパーを使用する。さらに前記接着材１２とは別個に接着剤を塗布もしくは塗着せしめ、パネルｃ等に接着せしめることができる。
【００５７】
さらに前記第２実施例の蓄発光体ｂの発光部１の表面部１ａ中心部から底面部２にかけて、ロープ１０もしくは針金等が挿通する貫通孔９を形成する。
【００５８】
１３は蛍光灯であり、本考案の蓄光発光体ａをロープ１０を介して吊下げる。前記吊下げによって前記蓄光発光体ａは、裏面からでも蛍光灯１３の照明によって蓄光する。そのため消灯して暗くなると前記蓄光発光体ａが発光する。
【００５９】
前記蓄光発光体ａ、ｂは以下の物品に取着することができる。
【００６０】
取着する物品として、洋傘１４、ヘルメット１５、帽子１６、１７、ランドセル１８、ペンダント１９、ワッペン２０、キーリング２１、電気スタンド２２、消火器２３、犬２４、バスルーム２５、ガーデニング２６、郵便受け２７、ツリー２８、長靴２９、バリアフリー３０、カーポート３１、自転車３２、ショッピングカー３３、ステッキバッグ３４、杖３５、車椅子３６、自転車３７等を挙げることができる。
【００６１】
さらに本考案の蓄光発光体、ａ、ｂが、前記各種物品等に貼着もしくは吊下げると、昼間は太陽光によって蓄光し、夜間暗くなると発光する。そのため癒し効果や、位置の確認や誘導方向指示、交通安全面、身辺の安全面等に使役できる。
【００６２】
また本考案の蓄光発光体ａ、ｂは、貫通孔８、９を利用して吊下げたり、あるいは接着剤もしくは接着材を使用して対象物品もしくはパネルｃ等に対し確実に接着できる。
【００６３】
つぎに本考案の蓄光発光体ａ、ｂの製法につき説明すると以下のとおりである。
【００６４】
使用する合成樹脂は、ポリオレフィン、ポリプロピレン、ポリエチレン、ポリスチロール、ポリエチレンテレフタレート、ポリスチレン、ポリ塩化ビニール、ＡＢＳ、ポリメチルメタアクリレート、ポリアクリレート、ポリカーボネート、ポリアミド、熱可塑性ポリエステルのほか、ペットボトルの再生ペット等である。
【００６５】
さらに上記の各種合成樹脂と、無機質蓄光顔料と、着色顔料と、オイル等の添加剤とより成る混合物である。蓄光顔料の割合は、合成樹脂１００重量部に対して５〜１００重量部の範囲内で構成されている。そして上記合成樹脂、無機質蛍光顔料、着色顔料と微量の添加物とをブレンダー等で混合してブレンド混合品を得た後、当該ブレンド品を加熱処理し、２本の混合ローラー上または混練押出機またはバンバリーミキサー等の通常プラスチック混練機を用いて、均質混練後に円筒状にペレット化する。
【００６６】
また前記の混練したペレット組成物は、様々な成形方法で成形される。例えば、常圧成形、加圧成形、射出成形、押出成形、カレンダー成形等の成形方法があり、その１種または２種以上の組み合わせによる実施が可能である。
【００６７】
前記のように製造された前記蓄光発光体ａは、着色顔料と蓄光顔料を含有することによって、日中の太陽光の紫外線をエネルギーとして蓄え、夜間の暗部で自発光して視認できる機能を発揮する。
【００６８】
さらに、蓄光発光体ａの蓄光輝度は、従来の蓄光顔料の残光時間の２００分に対して１０倍の２，０００分の残光特性を有し、励起する光の波長が２００〜４００ナノメーターと広いため、一晩中光り輝く特性を有している（図１５、１６）。
【００６９】
また蓄光顔料は、アルミン酸塩化合物を主成分に希土類元素の賦活剤を添加焼成しているため、従来の蓄光顔料の硫化亜鉛を主成分としたものは残光輝度が少ない上に、有害な放射性物質を有していたが、本考案に実施されている蓄光顔料は長残光特性のほか放射性物質や有害物質を全く含まないため、環境にやさしい特性が得られる。
【００７０】
さらに本考案において実施される蓄光顔料は、アルミナを主成分とした酸化物であるため、光の吸収―発光―吸収―発光を半永久的に繰り返すことができ、自然界で安定した耐光性を発揮する。
【００７１】
図１５は本考案において採用されるアルミン酸塩化合物蓄光発光体Ｇ３００Ｍと従来夜光との残光特性を実験により比較したものである。
【図面の簡単な説明】
【００７２】
【図１】本考案夜間・暗部において自発光体する蓄光発光体の正面図である。
【００７３】
【図２】図１の蓄光発光体の平面図である。
【００７４】
【図３】図１の蓄光発光体の底面図である。
【００７５】
【図４】同蓄光発光体の第２実施例の正面図である。
【００７６】
【図５】図４の蓄光発光体の底面図である。
【００７７】
【図６】図１の蓄光発光体を蛍光灯に吊下げて使用した状態の一部切欠正面図である。
【００７８】
【図７】図６の使用状態の右側面図である。
【００７９】
【図８】図１の蓄光発光体をパネルに嵌込み使用したときの一部切欠正面図である。
【００８０】
【図９】蓄光発光体の第２実施例の正面図である。
【００８１】
【図１０】図９の蓄光発光体の平面図である。
【００８２】
【図１１】図９の蓄光発光体の底面図である。
【００８３】
【図１２】蓄光発光体の第３実施例を示す正面図である。
【００８４】
【図１３】図１２の蓄光発光体の平面図である。
【００８５】
【図１４】図１２の蓄光発光体の底面図である。
【００８６】
【図１５】蓄光発光体の蓄光輝度と残光時間との関係を示すグラフである。
【００８７】
【図１６】蓄光発光体の発光強度と波長との関係を示すグラフである。
【００８８】
【図１７】本考案の蓄光発光体を使用した製品類である。
【００８９】
【図１８】図１７と同様の製品類である。
【符号の説明】
【００９０】
ａ      蓄光発光体
ｂ      蓄光発光体
ｃ      パネル
１      蓄光発光部
１ａ    表面部
２      底面部
２ａ    底面部
３      裏面突出部
４      側壁面部
５      下方端部
６      パネル引掛け部
７      先端面部
７ａ    傾斜状部
８      貫通孔
９      貫通孔
１０    ロープ
１１    貫通孔
１２    接着材
１３    蛍光灯
１４    洋傘
１５    ヘルメット
１６    帽子
１７    帽子
１８    ランドセル
１９    ペンダント
２０    ワッペン
２１    キーリング
２２    電気スタンド
２３    消火器
２４    ペット
２５    バスルーム
２６    ガーデニング
２７    郵便受け
２８    ツリー
２９    長靴
３０    バリアフリー
３１    カーポート
３２    自動車
３３    ショッピングカー
３４    ステッキバッグ
３５    杖
３６    車椅子
３７    自転車
【図１】
0003124163.tif 000003
【図２】
0003124163.tif 000004
【図３】
0003124163.tif 000005
【図４】
0003124163.tif 000006
【図５】
0003124163.tif 000007
【図６】
0003124163.tif 000008
【図７】
0003124163.tif 000009
【図８】
0003124163.tif 000010
【図９】
0003124163.tif 000011
【図１０】
0003124163.tif 000012
【図１１】
0003124163.tif 000013
【図１２】
0003124163.tif 000014
【図１３】
0003124163.tif 000015
【図１４】
0003124163.tif 000016
【図１５】
0003124163.tif 000017
【図１６】
0003124163.tif 000018
【図１７】
0003124163.tif 000019
【図１８】
0003124163.tif 000020
【手続補正書】
【提出日】平成18年6月22日(2006.6.22)
【手続補正１】
【補正対象書類名】明細書
【補正対象項目名】全文
【補正方法】変更
【補正の内容】
【考案の詳細な説明】
【技術分野】
【０００１】
本考案は、夜間・暗部において自発光する蓄光発光体の分野に関するものである。
【背景技術】
【０００２】
従来夜間において自発光する反射板として、特開平１１−３０５０１５公開特許公報が開示されている。
【０００３】
この公開特許公報の反射板は、板状蓄発材３と反射体１とを組合せて使用するものであって、板状蓄光材３を単体物として使用を目的としていない。
【０００４】
さらに前記公開特許公報に開示されている発明は、蓄光材が板状のためその使用範囲は限定されている。即ちこの開示の発明の反射板は、衣類に着用するボタン、その他バッグ、帽子に付しての使用や、さらにアクセサリー、ペンダント等の装身具類に使用すると違和感があり、使用対象物品の範囲内に入らないものである。
【特許文献１】特開平１１−３０５０１５公開特許公報
【考案の開示】
【考案が解決しようとする課題】
【０００５】
従来開示の前記特開平１１−３０５０１５公開特許公報の発明の反射板は、板状蓄光材３と反射体１とからなり、板状蓄光材３を単体で使用することは想定外としている。
【０００６】
そのため、前記開示の反射板は、暗い夜道に設置して安全を確保するための道路標識として使用することだけを目的として開発されたものである。
【０００７】
しかるに本考案は、蓄光発光体を構成する蓄発光部もしくは裏面突出部に貫通孔を形成して、ロープもしくはワイヤー等をもって吊下げ何処の位置からでも判る、いわゆる目印としての利用を可能にした。
【０００８】
さらに本考案は、裏面突出部に引掛け係止部を形成して、パネルに懸架せしめ自発光する標識板としても利用可能にした。
【０００９】
また本考案は、全体を蓄光と自発光する無機質の着色顔料と蓄光顔料とを含有する合成樹脂製として表裏面の区別なく、両面から蓄光と発光とができるようにした。そのため、蛍光灯等への吊下げを可能にした。
【００１０】
さらに本考案は、突出状の蓄発光部の底面部もしくは、裏面突出部の底面部を平坦にして、接着剤や両面テープ等の塗布もしくは接着を容易にして確実にパネル等に固着することができるようにした。
【００１１】
また本考案は、前記した突出状の蓄発光部の底面部もしくは裏面突出部の底面部を平坦にして、マグネットペーパーの圧着を容易にし、且被取付部材への着脱が容易にできるようにした。
【００１２】
さらに本考案は、考案の要部の蓄光発光体を構成する蓄発光部を、湾曲状もしくは半球形状にして角部をなくし、接触しても怪我を未然に防止した。
【００１３】
また本考案は、消灯時における癒しの効果と、停電時の避難誘導をスムーズに行わしめることができるようにすると共に、発光する衣服用ボタンとして、さらにバッグや帽子等に付着して発光するアクセサリーとしての利用もできるようにした。
【００１４】
さらに本考案は、発光するペンダント等の装身具用として利用できる。
【００１５】
また本考案は、自転車、バイク、車椅子、電気スタンド、動物等に付着せしめて、交通安全面の確保と、さらに身辺の安全の確保を目的として利用できるようにした。
【００１６】
さらに本考案は、子供らのペンダントやワッペンとして、キーリングングやストラップ、靴類、ステッキ、バリアフリーに、リュック、ランドセル、バスルームの癒しのインテリア、ガーデニング、エクステリア等の広範囲の商品に使用し、前記同様交通安全面の確保や身辺の安全に役立たしめることができるようにした。
【課題を解決するための手段】
【００１７】
上記課題を解決する手段として、請求項１記載の考案は、蓄光と発光の両機能を有する突出状蓄発光部と、前記蓄発光部の底面部を突設して蓄光と発光の両機能を有する裏面突出部とを、無機質の着色顔料と蓄光顔料とを含有する合成樹脂製とし、前記裏面突出部の側壁面部に貫通孔を形成せしめたことを特徴とする夜間・暗部において自発光する蓄光発光体である。
【００１８】
請求項２記載の考案は、前記突出状蓄光部と前記裏面突出部とに、貫通孔を形成せしめることを特徴とする請求項１記載の夜間・暗部において自発光する蓄光発光体である。
【００１９】
請求項３記載の考案は、前記裏面突出部の下方外周部に、パネル引掛け部を形成せしめることを特徴とする請求項１又は請求項２記載の夜間・暗部において自発光する蓄光発光体である。
【００２０】
請求項４記載の考案は、前記裏面突出部の底面部が接着剤もしくは接着剤をもって被接着部材に接着せしめることができるようにフラット面とすることを特徴とする請求項１又は請求項２又は請求項３記載の夜間・暗部において自発光する蓄光発光体である。
【００２１】
請求項５記載の考案は、前記突出状蓄発光部の底面部が、前記裏面突出部を設けることなく、且接着剤もしくは接着剤被接着剤に接着せしめることができるようにフラット面にて形成することを特徴とする請求項１記載の夜間・暗部において自発光する蓄光発光体である。
【００２２】
請求項６記載の考案は、前記突出状蓄発光部に、貫通孔を形成せしめることを特徴とする請求項５記載の夜間・暗部において自発光する蓄光発光体である。
【００２３】
請求項７記載の考案は、前記突出状蓄発光部の中心部に、貫通孔を形成せしめることを特徴とする請求項６記載の夜間・暗部において自発光する蓄光発光体である。
【００２４】
請求項８記載の考案は、前記突出状蓄発光部及び裏面突出部の中心部に、前記蓄発光部と裏面突出部を貫通する貫通孔を形成せしめることを特徴とする請求項１又は請求項２又は請求項３又は請求項４記載の夜間・暗部において自発光する蓄光発光体である。
【００２５】
請求項９記載の考案は、前記突出状蓄発光部が、湾曲状もしくは半球状にて形成せしめることを特徴とする請求項１又は請求項２又は請求項３又は請求項４又は請求項５又は請求項６又は請求項７又は請求項８記載の夜間・暗部において自発光する蓄光発光体である。
【００２６】
請求項１０記載の考案は、前記接着部材が、両面接着テープもしくはマグネットペーパーであることを特徴とする請求項１又は請求項２又は請求項３又は請求項４又は請求項５又は請求項６又は請求項７又は請求項８又は請求項９記載の夜間・暗部において自発光する蓄光発光体である。
【考案の効果】
【００２７】
本考案の夜間・晴部において自発光する蓄光発光体の請求項１記載の考案は、蓄光と発光の両機能を有する突出状蓄発光部と、前記蓄発光部の底面部を突設して蓄光と発光の両機能を有する裏面突出部とを、無機質の着色顔料と蓄光顔料とを含有する合成樹脂製とし、前記裏面突出部の側壁面部に貫通孔を形成せしめたことを特徴とする夜間・暗部において自発光する蓄光発光体なので、前記貫通孔にロープや針金等を挿通せしめ、例えば蛍光灯等に吊るしていても、前記蓄光発光体を構成する突出状蓄発光部と裏面突出部部とが夫々蓄光する。
【００２８】
そのため前記のように蛍光灯等に吊るしていても、蛍光灯の照明でも、蓄光するので、消灯時には前記蓄光発光体が発光して癒し効果を与えると共に、停電時には避難誘導用として利用できる利点を有している。
【００２９】
さらに本考案の蓄光発光体は、前記貫通孔にロープや針金等を挿通して、極めて容易に街路樹等に吊下げができる。そのため日中には太陽光線によって蓄光し、夜間にはツリーランプとして省エネ効果を発揮させることができる。
【００３０】
また本考案の蓄光発光体は、貫通孔に糸で衣服、ボタン代用として、さらにバッグ、帽子等に縫い付けることができるので、昼間は通常のボタンであったりしても、夜間になると発光し、興味をそそり、ファッション効果を著しく発揮させることができる。
【００３１】
さらに前記のようにバッグ、帽子等に縫い付けたり、吊るしておくと、夜間になると発光し、光るバッグ、光る帽子等として興味をそそぐと共に、消灯時でも直ちに前記蓄光発光体を縫い付けあるいは吊下げている対象物品の所在を直ちに認識できる利点を有している。
【００３２】
また本考案の自発光体は、貫通孔に紐類を挿通できるので、夜になると発光する極めて興味をそそるアクセサリーやペンダント等の装身具として利用可能にした。
【００３３】
さらに本考案の自発光体は、貫通孔に紐等を挿通せしめて、学童児らのランドセル、かばん、靴に、さらにベビーカー、ショッピングカート、ステッキバッグ、車椅子、自転車、バイク、ペット、電気スタンド、消火器、携帯ラジオ、ハンディライト、照明器具の消灯用紐に、さらにカーポート、バリアフリー、ステッキ、ガーデニング、郵便ポスト等の多種類のものに取付けておき、昼間は太陽光もしくは蛍光灯等の照明によって蓄光し、夜になると発光するようにしたので、上記物品の存在が直ちに視認できるし、夜間の暗闇での存在を視認して交通安全や身辺の安全対策、緊急時の目印やケア、野外での安全確保や、ホビー等の広範囲にわたっての使用を可能にした利点がある。
【００３４】
本考案の夜間・暗部において自発光する蓄光発光体の請求項２記載の考案は、前記突出状蓄光部と前記裏面突出部とに、貫通孔を形成せしめることを特徴とする請求項１記載の夜間・暗部において自発光する蓄光発光体なので、前記貫通孔にロープや針金等を挿通し吊下げることが極めて容易にできる利点がある。
【００３５】
そのため、請求項１記載の考案と同じ効果を有している。
【００３６】
本考案の夜間・暗部において自発光する蓄光発光体の請求項３記載の考案は、前記裏面突出部の下方外周部に、パネル引掛け部を形成せしめることを特徴とする請求項１又は請求項２記載の夜間・暗部において自発光する蓄光発光体なので、前記パネル引掛け部を有する裏面突出部を別設する所定の図柄等を想起可能にした嵌挿孔に嵌挿させると、前記パネル引掛け部によって引掛って係止せしめ離脱を防止した。
【００３７】
さらに本考案は、請求項１又は同２記載の考案と同じ効果を有している。
【００３８】
本考案の夜間・暗部において自発光する蓄光発光体の請求項４記載の考案は、前記裏面突出部の底面部が接着剤もしくは接着剤をもって被接着部材に接着せしめることができるようにフラット面とすることを特徴とする請求項１又は同２又は同３記載の夜間・暗部において自発光する蓄光発光体なので、前記裏面突出部の底面部に接着剤を塗付もしくは塗着せしめたり、あるいは接着剤を接着せしめることによって、被接着対象物、例えばパネルやかばん、ランドセル、・・・等に極めて容易に取り付け、夜間・暗部にて自発光させることができる利点を有している。
【００３９】
さらに本考案は、請求項１又は同２又は同３記載の考案と同じ効果を有している。
【００４０】
本考案の夜間・暗部において自発光する蓄光発光体の請求項５記載の考案は、前記突出状蓄発光部の底面部が、前記裏面突出部を設けることなく、且接着剤もしくは接着剤被接着剤に接着せしめることができるようにフラット面にて形成することを特徴とする請求項１記載の夜間・暗部において自発光する蓄光発光体なので、ランドセル、かばん等の被接着物に対し接着剤もしくは接着材を介して極めて容易に接着することができる。
【００４１】
そのため、本考案の発光体は、請求項１記載の考案と同じ効果を有している。
【００４２】
本考案の夜間・暗部において自発光する蓄光発光体の請求項６記載の考案は、前記突出状蓄発光部に、貫通孔を形成せしめることを特徴とする請求項５記載の夜間・暗部において自発光する蓄光発光体なので、貫通孔にロープや針金等を極めて容易に挿通せしめることができる。
【００４３】
そのため、本考案の自発光体を極めて容易に吊下げたり、取付けることができる。
【００４４】
さらに本考案は、請求項５記載の考案と同じ効果を有している。
【００４５】
本考案の夜間・暗部において自発光する蓄光発光体の請求項７記載の考案は、前記突出状蓄発光部の中心部に、貫通孔を形成せしめることを特徴とする請求項６記載の夜間・暗部において自発光する蓄光発光体なので、貫通孔にロープや針金等を極めて容易に挿通することができる。
【００４６】
さらに本考案は、請求項６記載の考案と同じ効果を有している。
【００４７】
本考案の夜間・暗部において自発光する蓄光発光体の請求項８記載の考案は、前記突出状蓄発光部及び裏面突出部の中心部に、前記蓄発光部と裏面突出部を貫通する貫通孔を形成せしめることを特徴とする請求項１又は同２又は同３又は同４記載の夜間・暗部において自発光する蓄光発光体なので、前記中心部に設けた貫通孔には、ロープもしくは針金等が容易に挿通しやすい利点がある。
【００４８】
さらに本考案は、請求項１又は同２又は同３又は同４記載の考案と同じ効果を有している。
【００４９】
本考案の夜間・暗部において自発光する蓄光発光体の請求項９記載の考案は、前記突出状蓄発光部が、湾曲状もしくは半球状にて形成せしめることを特徴とする請求項１又は同２又は同３又は同４又は同５又は同６又は同７又は同８記載の夜間・暗部において自発光する蓄光発光体なので、突出状蓄発光部が湾曲状もしくは半球状をしているがために、手指等が当ったりしても、怪我をしたりはしない利点がある。
【００５０】
さらに本考案は、請求項１又は同２又は同３又は同４又は同５又は同６又は同７又は同８記載の考案と同じ効果を有している。
【００５１】
本考案の夜間・暗部において自発光する蓄光発光体の請求項１０記載の考案は、前記接着部材が、両面接着テープもしくはマグネットペーパーであることを特徴とする請求項１又は同２又は同３又は同４又は同５又は同６又は同７又は同８又は同９記載の夜間・暗部において自発光する蓄光発光体なので、被接着物に対し極めて容易にして、且確実に取付けることができると共に、容易に離脱しない利点を有している。
【００５２】
さらに本考案は、請求項１又は同２又は同３又は同４又は同５又は同６又は同７又は同８又は同９記載の考案と同じ効果を有している。
【考案を実施するための最良の形態】
【００５３】
本考案の請求項１〜１０記載の考案に関する実施の形態は共通しているので以下のとおり一括して説明する。
【００５４】
図面において、ａは無機質の着色顔料と蓄光顔料とを含有する合成樹脂製の蓄光性を有し自発光する蓄光発光体ａである。この蓄光発光体ａの構成は以下のとおりである。
【００５５】
前記蓄光発光体ａは、湾曲状もしくは半球状の突出状蓄発光部１の底面部２を所定の長さだけ図１、４、８のように突設して裏面突出部３を形成する。
【００５６】
前記裏面部３は、横断面が円形状にして、且前記突出状蓄発光部１の底面部２の径よりも若干小さ目に形成する。
【００５７】
さらに前記裏面部突出部３の下方端部５にパネルｃに引掛け係止せしめるパネル引掛け部６を図１、４、８・・・等のように形成する。
【００５８】
そして前記パネル引掛け部６は、所定の高さを有し、先端面部７は径が小さく、突出状蓄発光部１の底面部２の方向に行くに従って径が漸次大きくなるように、傾斜状部７ａを設けて形成する。
【００５９】
さらに前記裏面突出部３の側壁面部４に、前記側壁面部４を貫通する貫通孔８を形成する。
【００６０】
前記の貫通孔８には、ロープ１０又は針金等を挿通せしめ使用する。
【００６１】
さらに本考案は、前記突出部蓄発光部１の表面部１ａの中心部から前記裏面突出部３の中心部にかけて所定の径を有する貫通孔９を形成してもよい。
【００６２】
そして本考案においては、前記貫通孔８、９を同時に形成してもよいが、一方の貫通孔を形成したときは、他方の貫通孔を形成しなくともよい。
【００６３】
さらに本考案は、蓄光発光体ａの第２実施例として、前記突出状蓄発光部１のみの蓄発光体ｂとし、前記裏面突出部３がない形態の場合もある。
【００６４】
この場合の突出状蓄発光部１の底面部２は、フラット状とする。
【００６５】
１２は本考案の前記裏面突出部３のフラット状底面部２ａに接着する接着材である。
【００６６】
この接着材１２は、両面接着テープもしくはマグネットペーパーを使用する。さらに前記接着材１２とは別個に接着剤を塗布もしくは塗着せしめ、パネルｃ等に接着せしめることができる。
【００６７】
さらに前記第２実施例の蓄発光体ｂの発光部１の表面部１ａ中心部から底面部２にかけて、ロープ１０もしくは針金等が挿通する貫通孔９を形成する。
【００６８】
１３は蛍光灯であり、本考案の蓄光発光体ａをロープ１０を介して吊下げる。前記吊下げによって前記蓄光発光体ａは、裏面からでも蛍光灯１３の照明によって蓄光する。そのため消灯して暗くなると前記蓄光発光体ａが発光する。
【００６９】
前記蓄光発光体ａ、ｂは以下の物品に取着することができる。
【００７０】
取着する物品として、洋傘１４、ヘルメット１５、帽子１６、１７、ランドセル１８、ペンダント１９、ワッペン２０、キーリング２１、電気スタンド２２、消火器２３、犬２４、バスルーム２５、ガーデニング２６、郵便受け２７、ツリー２８、長靴２９、バリアフリー３０、カーポート３１、自転車３２、ショッピングカー３３、ステッキバッグ３４、杖３５、車椅子３６、自転車３７等を挙げることができる。
【００７１】
さらに本考案の蓄光発光体、ａ、ｂが、前記各種物品等に貼着もしくは吊下げると、昼間は太陽光によって蓄光し、夜間暗くなると発光する。そのため癒し効果や、位置の確認や誘導方向指示、交通安全面、身辺の安全面等に使役できる。
【００７２】
また本考案の蓄光発光体ａ、ｂは、貫通孔８、９を利用して吊下げたり、あるいは接着剤もしくは接着材を使用して対象物品もしくはパネルｃ等に対し確実に接着できる。
【００７３】
つぎに本考案の蓄光発光体ａ、ｂの製法につき説明すると以下のとおりである。
【００７４】
使用する合成樹脂は、ポリオレフィン、ポリプロピレン、ポリエチレン、ポリスチロール、ポリエチレンテレフタレート、ポリスチレン、ポリ塩化ビニール、ＡＢＳ、ポリメチルメタアクリレート、ポリアクリレート、ポリカーボネート、ポリアミド、熱可塑性ポリエステルのほか、ペットボトルの再生ペット等である。
【００７５】
さらに上記の各種合成樹脂と、無機質蓄光顔料と、着色顔料と、オイル等の添加剤とより成る混合物である。蓄光顔料の割合は、合成樹脂１００重量部に対して５〜１００重量部の範囲内で構成されている。そして上記合成樹脂、無機質蛍光顔料、着色顔料と微量の添加物とをブレンダー等で混合してブレンド混合品を得た後、当該ブレンド品を加熱処理し、２本の混合ローラー上または混練押出機またはバンバリーミキサー等の通常プラスチック混練機を用いて、均質混練後に円筒状にペレット化する。
【００７６】
また前記の混練したペレット組成物は、様々な成形方法で成形される。例えば、常圧成形、加圧成形、射出成形、押出成形、カレンダー成形等の成形方法があり、その１種または２種以上の組み合わせによる実施が可能である。
【００７７】
前記のように製造された前記蓄光発光体ａは、着色顔料と蓄光顔料を含有することによって、日中の太陽光の紫外線をエネルギーとして蓄え、夜間の暗部で自発光して視認できる機能を発揮する。
【００７８】
さらに、蓄光発光体ａの蓄光輝度は、従来の蓄光顔料の残光時間の２００分に対して１０倍の２，０００分の残光特性を有し、励起する光の波長が２００〜４００ナノメーターと広いため、一晩中光り輝く特性を有している（図１５、１６）。
【００７９】
また蓄光顔料は、アルミン酸塩化合物を主成分に希土類元素の賦活剤を添加焼成しているため、従来の蓄光顔料の硫化亜鉛を主成分としたものは残光輝度が少ない上に、有害な放射性物質を有していたが、本考案に実施されている蓄光顔料は長残光特性のほか放射性物質や有害物質を全く含まないため、環境にやさしい特性が得られる。
【００８０】
さらに本考案において実施される蓄光顔料は、アルミナを主成分とした酸化物であるため、光の吸収―発光―吸収―発光を半永久的に繰り返すことができ、自然界で安定した耐光性を発揮する。
【００８１】
図１５は本考案において採用されるアルミン酸塩化合物蓄光発光体Ｇ３００Ｍと従来夜光との残光特性を実験により比較したものである。
【図面の簡単な説明】
【００８２】
【図１】本考案夜間・暗部において自発光体する蓄光発光体の正面図である。
【００８３】
【図２】図１の蓄光発光体の平面図である。
【００８４】
【図３】図１の蓄光発光体の底面図である。
【００８５】
【図４】同蓄光発光体の第２実施例の正面図である。
【００８６】
【図５】図４の蓄光発光体の底面図である。
【００８７】
【図６】図１の蓄光発光体を蛍光灯に吊下げて使用した状態の一部切欠正面図である。
【００８８】
【図７】図６の使用状態の右側面図である。
【００８９】
【図８】図１の蓄光発光体をパネルに嵌込み使用したときの一部切欠正面図である。
【００９０】
【図９】蓄光発光体の第２実施例の正面図である。
【００９１】
【図１０】図９の蓄光発光体の平面図である。
【００９２】
【図１１】図９の蓄光発光体の底面図である。
【００９３】
【図１２】蓄光発光体の第３実施例を示す正面図である。
【００９４】
【図１３】図１２の蓄光発光体の平面図である。
【００９５】
【図１４】図１２の蓄光発光体の底面図である。
【００９６】
【図１５】蓄光発光体の蓄光輝度と残光時間との関係を示すグラフである。
【００９７】
【図１６】蓄光発光体の発光強度と波長との関係を示すグラフである。
【００９８】
【図１７】本考案の蓄光発光体を使用した製品類である。
【００９９】
【図１８】図１７と同様の製品類である。
【符号の説明】
【０１００】
ａ      蓄光発光体
ｂ      蓄光発光体
ｃ      パネル
１      蓄光発光部
１ａ    表面部
２      底面部
２ａ    底面部
３      裏面突出部
４      側壁面部
５      下方端部
６      パネル引掛け部
７      先端面部
７ａ    傾斜状部
８      貫通孔
９      貫通孔
１０    ロープ
１１    貫通孔
１２    接着材
１３    蛍光灯
１４    洋傘
１５    ヘルメット
１６    帽子
１７    帽子
１８    ランドセル
１９    ペンダント
２０    ワッペン
２１    キーリング
２２    電気スタンド
２３    消火器
２４    ペット
２５    バスルーム
２６    ガーデニング
２７    郵便受け
２８    ツリー
２９    長靴
３０    バリアフリー
３１    カーポート
３２    自動車
３３    ショッピングカー
３４    ステッキバッグ
３５    杖
３６    車椅子
３７    自転車